(57)【要約】【課題】カバー部材の内側の水を外部に排出する通水路を備える照明装置であって、通水路の存在を目立たたせない構造を有する照明装置を提供すること。【解決手段】照明装置１０は、発光部２５を有し、発光部２５からの光を放出する本体部２０と、本体部２０の側面２１ｂを覆うカバー部材４０と、少なくとも一部がカバー部材４０によって形成された通水路５０とを備える。通水路５０は、カバー部材４０及び本体部２０の側面２１ｂの間のカバー内空間４２の下部に配置され、カバー内空間４２と照明装置１０の外部の空間とを、上下方向に対して傾いた方向に接続する部分を有する。【選択図】図３
2019096446.tif 000002
【特許請求の範囲】
【請求項１】
照明装置であって、
発光部を有し、前記発光部からの光を放出する本体部と、
前記本体部の側面を覆うカバー部材と、
少なくとも一部が前記カバー部材によって形成された通水路であって、前記カバー部材及び前記本体部の前記側面の間のカバー内空間の下部に配置され、前記カバー内空間と前記照明装置の外部の空間とを、上下方向に対して傾いた方向に接続する部分を有する通水路と
を備える照明装置。
【請求項２】
前記通水路は、前記本体部の下部の外周端縁と、前記カバー部材の、前記外周端縁と対向する内周端縁とによって形成されている
請求項１記載の照明装置。
【請求項３】
前記本体部は、前記発光部からの光を透過させて放出する透光パネルを有し、
前記外周端縁の少なくとも一部は、前記透光パネルの端縁により形成されている
請求項２記載の照明装置。
【請求項４】
前記カバー部材はさらに、前記カバー内空間から前記通水路の出口までの経路上において、前記出口よりも手前の位置に配置された、下方に凹んだ凹部を有する
請求項１〜３のいずれか一項に記載の照明装置。
【請求項５】
前記カバー部材はさらに、前記通水路の、前記カバー内空間側の端部に立設された壁部を有する
請求項１〜４のいずれか一項に記載の照明装置。
【請求項６】
前記本体部はさらに、前記発光部の光の放出側の空間における人または明るさを検出するセンサ装置を有し、
前記本体部の前記側面には、前記センサ装置が有する操作部の少なくとも一部を露出させる操作用開口部が形成されている
請求項１〜５のいずれか一項に記載の照明装置。
【請求項７】
前記本体部は、
前記発光部を収容し、前記本体部の前記側面を形成する筐体と、
前記筐体を他の部材に固定するための、前記筐体と前記他の部材との間に配置される取付板とを有し、
前記取付板は、前記筐体の方向に立設された、前記筐体の前記側面に引っ掛かる保持バネであって、前記カバー部材に覆われる位置に配置された保持バネを有する
請求項１〜６のいずれか一項に記載の照明装置。
【請求項８】
照明装置であって、
発光部を有し、前記発光部からの光を放出する本体部と、
前記本体部の側面を覆うカバー部材と、
少なくとも一部が前記カバー部材によって形成された、前記カバー部材及び前記本体部の前記側面の間のカバー内空間の下部に配置され、前記カバー内空間と前記照明装置の外部の空間とを接続する通水路とを備え、
前記カバー部材はさらに、前記カバー内空間から前記通水路の出口までの経路上において、前記出口よりも手前の位置に配置された、下方に凹んだ凹部を有する
照明装置。
【発明の詳細な説明】
【技術分野】
【０００１】
本発明は、発光部を有する本体部と、本体部の側面を覆うカバー部材とを備える照明装置に関する。
【背景技術】
【０００２】
近年、天井に取り付けられるＬＥＤ照明装置が普及しつつある。例えば、特許文献１には、複数のＬＥＤチップを有する発光部と、発光部を収容する本体部と、本体部の側面を覆うカバーとを備える照明装置が開示されている。この照明装置において、カバーは、カバーの第一凸部が本体部のガイド溝に沿って動くように下方から押し上げられることによって、カバーの第二凸部が本体部の係止構造に引っかかる。これにより、カバーは本体部に保持される。
【先行技術文献】
【特許文献】
【０００３】
【特許文献１】特開２０１７−１９５０６８号公報
【発明の概要】
【発明が解決しようとする課題】
【０００４】
上記従来の照明装置のように、本体部の側面を覆うカバー部材を配置することで、例えば、本体部を天井面に固定するためのネジ、及び、カバー部材と係合するための凹凸などの、外観上、露出させないことが望ましい要素をカバー部材で隠すことができる。しかしながら、例えば屋外に設置される照明装置の場合、カバー部材の上端からカバー部材の内側に水が浸入し、この水がカバー部材の内部空間（カバー部材と本体部との間の空間）にたまる可能性がある。
【０００５】
そのため、一般に、水抜き用の孔（水抜き孔）が、例えばカバー部材の下部に設けられる。この水抜き孔は、カバー部材の外部と内部とを接続する通路であるため、例えば、照明装置を使用者が見上げた場合に、カバー部材の内部の構造が見える可能性がある。このことは、人が存在または往来する空間を照らす照明装置にとって好ましいことではない。また、水抜き孔が目立たないように、水抜き孔の外側の開口を小さくすることが考えられるが、これは、排水機能の低下、または、ごみ等による水抜き孔の詰まり等の別の問題が生じ得る。もちろん、照明装置が、例えばカバー部材の上端と本体部との間の防水性を確保するための構造を備えることも考えられるが、この場合は、その構造が外観を損ねる、または、照明装置のサイズが増加する等の別の問題が生じ得る。
【０００６】
本発明は、上記従来の課題を考慮し、カバー部材の内側の水を外部に排出する通水路を備える照明装置であって、通水路の存在を目立たたせない構造を有する照明装置を提供することを目的とする。
【課題を解決するための手段】
【０００７】
本発明の一態様に係る照明装置は、発光部を有し、前記発光部からの光を放出する本体部と、前記本体部の側面を覆うカバー部材と、少なくとも一部が前記カバー部材によって形成された通水路であって、前記カバー部材及び前記本体部の前記側面の間のカバー内空間の下部に配置され、前記カバー内空間と前記照明装置の外部の空間とを、上下方向に対して傾いた方向に接続する部分を有する通水路とを備える。
【発明の効果】
【０００８】
本発明によれば、カバー部材の内側の水を外部に排出する通水路を有する照明装置であって、通水路の存在が目立たない照明装置を提供することができる。
【図面の簡単な説明】
【０００９】
【図１】図１は、実施の形態に係る照明装置の下方から見た外観斜視図である。
【図２】図２は、実施の形態に係る照明装置の分解斜視図である。
【図３】図３は、実施の形態に係る照明装置の部分断面図である。
【図４】図４は、図３における通水路及びその周辺の部分拡大図である。
【図５】図５は、実施の形態に係る照明装置のカバー部材を外した状態を示す斜視図である。
【図６】図６は、実施の形態に係る照明装置の、本体部の内部の一部を示す斜視図である。
【図７】図７は、実施の形態の変形例１に係る照明装置の部分断面図である。
【図８】図８は、実施の形態の変形例２に係る照明装置の部分断面図である。
【発明を実施するための形態】
【００１０】
以下、実施の形態について、図面を参照しながら具体的に説明する。なお、以下に説明する実施の形態及び変形例のそれぞれは、本発明の一具体例を示すものである。したがって、以下の実施の形態及び変形例で示される、数値、形状、材料、構成要素、構成要素の配置位置および接続形態などは、一例であって本発明を限定する主旨ではない。よって、以下の実施の形態及び変形例における構成要素のうち、本発明の最上位概念を示す独立請求項に記載されていない構成要素については、任意の構成要素として説明される。
【００１１】
また、各図は、模式図であり、必ずしも厳密に図示されたものではない。なお、各図において、実質的に同一の構成に対しては同一の符号を付しており、重複する説明は省略または簡略化される場合がある。
【００１２】
以下の実施の形態の図面においては、Ｚ軸方向は、例えば上下方向（鉛直方向）であり、Ｚ軸プラス側は、上側と記載される場合がある。また、Ｚ軸マイナス側は、下側または光の放出側と記載される場合がある。また、Ｘ軸方向及びＹ軸方向は、Ｚ軸に垂直な平面（水平面）上において、互いに直交する方向である。
【００１３】
また、図面においては、発光素子など、同一の機能を有しかつ複数設けられる構造または部材については、１つの構造または部材にのみ符号が付されている場合がある。
【００１４】
さらに、以下の実施の形態において、平行及び直交などの、２つの方向の相対的な姿勢を示す表現が用いられる場合があるが、これらの表現は、厳密にはその姿勢ではない場合も含む。例えば、２つの方向が平行である、という場合、特に断りのない限り、当該２つの方向が完全に平行であることを意味するだけでなく、実質的に平行であること、すなわち、例えば数％程度の差異を含むことも意味する。
【００１５】
（実施の形態）
［照明装置の概要］
まず、実施の形態に係る照明装置１０の概要について、図１及び図２を用いて説明する。図１は、実施の形態に係る照明装置１０の下方から見た外観斜視図である。図２は、実施の形態に係る照明装置１０の分解斜視図である。なお、図１におけるＺ軸に平行な一点鎖線は、照明装置１０の中心軸Ｊ（以下、単に軸Ｊとも記載する）を表している。
【００１６】
図１及び図２に示されるように、照明装置１０は、基本的な構成として、発光部２５を有する本体部２０と、本体部２０の側面２１ｂを覆うカバー部材４０とを備える。本実施の形態では、照明装置１０はさらに、本体部２０を、天井などの他の部材に固定するための取付板８０と、取付板８０及び本体部２０の上端の間に配置されるガスケット８５とを備える。
【００１７】
照明装置１０は、天井等に直接取り付けられ、主に下方を照らす照明装置であり、例えばダウンシーリングライトと呼ばれる照明装置である。照明装置１０は、具体的には、取付板８０が、図示しないネジ等によって天井等の下面（以下、「設置面」という。）に取り付けられた後に、取付板８０に対して本体部２０が固定され、さらに、カバー部材４０が本体部２０に取り付けられる。より詳細には、取付板８０と本体部２０との間にガスケット８５を挟んだ状態で、取付板８０が有する２つの軸体８１のそれぞれを、本体部２０の取付部２２に貫通させる。さらに、２つの軸体８１のそれぞれに図示しないナットを螺合させて締め付ける。これにより、本体部２０が設置面に固定される。また、本体部２０の上端と取付板８０との間にガスケット８５が介在することで、本体部２０の上端からの水の浸入は実質的に防止される。
【００１８】
つまり、本実施の形態に係る照明装置１０は、マンションなどの外廊下の天井、または、玄関の軒下など、雨水等の水がかかる可能性がある場所への設置が可能な照明装置である。
【００１９】
なお、本体部２０の、設置面への取り付けの手法に特に限定はなく、例えば、本体部２０を貫通し、取付板８０に設けられたボスのネジ孔と螺合するネジによって本体部２０が設置面に固定されてもよい。
【００２０】
また、設置面に固定された状態の本体部２０に、カバー部材４０が取り付けられる。具体的には、例えばカバー部材４０の内面に設けられた突起が本体部２０の側面２１ｂに設けられた溝と係合することで、カバー部材４０は、本体部２０に着脱可能に取り付けられる。
【００２１】
なお、カバー部材４０の本体部２０への取り付け構造には特に限定はなく、例えば、本体部２０の側面２１ｂに設けられた突起がカバー部材４０の内面に設けられた溝と係合することで、カバー部材４０が本体部２０に取り付けられてもよい。なお、カバー部材４０は人目に触れる部分であるため、カバー部材４０の本体部２０への取り付け構造は、カバー部材４０の外部に露出しない構造（外観への影響が少ない構造）であることが好ましい。
【００２２】
本体部２０は、発光部２５等の各種部品を収容する筐体２１と、発光部２５からの光を透過する透光パネル３０とを有する。筐体２１は、発光部２５が固定される部材であり、耐熱性、放熱性、及び絶縁性に優れた材料で形成される。例えば、ＡＤＣ（アリルジグリコールカーボネート）またはＰＢＴ（ポリブチレンテレフタレート）等の絶縁性樹脂材料が、筐体２１の材料として採用される。筐体２１には、平面視（Ｚ軸方向から見た場合）における中央部分にすり鉢状の凹部が設けられており、凹部の底の位置に発光部２５が配置されている。発光部２５の周囲の斜面（凹部の内面）は、発光部２５からの光を下方（透光パネル３０側）に反射する反射面として機能する。
【００２３】
透光パネル３０は、筐体２１の発光部２５が取り付けられた側を覆う部材であり、透光性を有する樹脂で形成されている。透光パネル３０は、例えば乳白色の樹脂で形成されており、発光部２５からの光を拡散して外部に放出することができる。なお、透光パネル３０は、例えば、筐体２１との間に図示しないガスケットを挟んだ状態で、筐体２１にネジ等で固定される。
【００２４】
ここで、本体部２０における下部の外周端縁２０ａは、筐体２１の下部端縁２１ａと、透光パネル３０の端縁３０ａとによって形成される。そのため、以下の説明及び図４以降の図において、下部端縁２１ａ及び端縁３０ａのそれぞれについて、「外周端縁２０ａ」と表記する場合がある。また、本実施の形態では、本体部２０の外周端縁２０ａと、カバー部材４０の内周端縁４０ａとによって、通水路５０（図１参照）が形成されている。通水路５０については、図３及び図４を用いて後述する。
【００２５】
カバー部材４０は、例えば、ＡＳＡ（アクリロニトリルスチレンアクリルゴム）またはＰＢＴ（ポリブチレンテレフタレート）等の絶縁性樹脂材料によって形成された、本体部２０の側面２１ｂを覆う部材である。より具体的には、カバー部材４０は、平面視における本体部２０の外周部分を覆う枠部４１（図１、図２参照）を有し、枠部４１の内周部分に、本体部２０の外周端縁２０ａと対向する内周端縁４０ａが形成されている。なお、例えば、カバー部材４０を筐体２１に取り付ける場合に、金属製のネジ等の導電部材を用いない場合、カバー部材４０は絶縁材料で形成されていなくてもよい。
【００２６】
また、本実施の形態では、照明装置１０はさらに、本体部２０に収容されたセンサ装置６０を備えている。センサ装置６０は、発光部２５の光の放出側の空間における人または明るさを検出するセンサ装置の一例である。本実施の形態では、センサ装置６０は、人感センサ６１及び照度センサ６２を有し、照明装置１０の下方の空間における人及び明るさを検出することができる。センサ装置６０は、人感センサ６１及び照度センサ６２の先端部が、筐体２１の下面に露出する状態で筐体２１に配置されている。
【００２７】
具体的には、人感センサ６１は、例えば焦電センサであり、人の体から放出される赤外線による温度変化を検出するセンサである。なお。人感センサ６１は、超音波などで人の存在の有無を検出するセンサであってもよい。また、照度センサ６２は、例えば、フォトダイオードなどの受光素子を用いて照明装置１０の周辺における明るさを検出するセンサである。
【００２８】
発光部２５は、照明装置１０における照明用光源として機能する発光モジュールである。発光部２５は、基板２５ａと、基板２５ａに配置された複数の発光素子２５ｂとを有する。発光素子２５ｂとしては、例えば、一側面が開口したパッケージと、パッケージ内に配置されたＬＥＤチップとを備えるＳＭＤ（Ｓｕｒｆａｃｅ  Ｍｏｕｎｔ  Ｄｅｖｉｃｅ）型ＬＥＤ素子が採用される。発光部２５は、例えば白色光を下方に向けて発する。なお、発光部２５の光軸は、軸Ｊ（図１参照）に一致する。
【００２９】
［通水路の構成］
図３は、実施の形態に係る照明装置１０の部分断面図である。具体的には、図３は、図１におけるＩＩＩ−ＩＩＩ線を通るＸＺ平面における照明装置１０の一部の断面が図示されている。図４は、図３における通水路５０及びその周辺の部分拡大図である。
【００３０】
図３及び図４に示すように、本実施の形態に係る照明装置１０は、発光部２５を有し、発光部２５からの光を放出する本体部２０と、本体部２０の側面２１ｂを覆うカバー部材４０と、少なくとも一部がカバー部材４０によって形成された通水路５０とを備える。通水路５０は、カバー部材４０及び本体部２０の側面２１ｂの間のカバー内空間４２の下部に配置され、カバー内空間４２と照明装置１０の外部の空間とを、上下方向に対して傾いた方向に接続する部分を有する。なお、本実施の形態では、通水路５０は、例えば図４に示すように、実質的に通水路５０の全体が、上下方向に対して傾くように形成されている。
【００３１】
この構成によれば、少なくとも本体部２０の側面２１ｂがカバー部材４０で覆われるため、本体部２０を設置面に固定するためのネジ、及び、本体部２０が有する、カバー部材４０の取り付けのための凹凸等が、カバー部材４０によって隠される。また、カバー部材４０の上端と本体部２０との隙間４４から水が浸入した場合であっても、その水を、カバー内空間４２の下部に配置された通水路５０から外部に排出することができる。さらに、通水路５０は、上下方向（Ｚ軸方向）に対して傾いた方向に延設されるため、仮に、使用者が照明装置１０を下から見上げた場合であっても、通水路５０を介してカバー部材４０の内部の構造を視認される可能性は低い。
【００３２】
また、通水路５０は、出口５１（通水路５０の下部開口、図４参照）から斜め上方に延設されているため、出口５１直上の、出口５１から比較的に近い位置に、外周端縁２０ａが存在する。そのため、使用者が、通水路５０を下方から見上げた場合、出口５１のすぐそばに底があるように見える。つまり、通水路５０を、見かけ上、例えば、透光パネル３０の周囲に設けられた、単なる溝のように見せることができる（図１参照）。
【００３３】
このように、本実施の形態に係る照明装置１０は、カバー部材４０の内部の水を外部に排出する通水路５０を備え、かつ、通水路５０の存在を目立たたせない構造を有している。
【００３４】
なお、通水路５０の延設方向は、例えば、本体部２０からの主たる光の放出方向、または、発光部２５の光軸に対して斜めである、と表現することもできる。
【００３５】
また、本実施の形態では、図３に示すように、本体部２０の内部には、上述のセンサ装置６０の他に、発光部２５及びセンサ装置６０への電力供給等を行う電気回路７１が備えられている。具体的には、電気回路７１は、回路ケース７５に収容されており、回路ケース７５は、筐体２１に固定されている。また、取付板８０の背面には、取付板８０と天井等の設置面との間に挟まれる緩衝材８２が配置されている。
【００３６】
また、本実施の形態では、通水路５０は、本体部２０の下部の外周端縁２０ａと、カバー部材４０の、外周端縁２０ａと対向する内周端縁４０ａとによって形成されている。
【００３７】
つまり、簡単にいうと、組み合わされる２部材（本体部２０及びカバー部材４０）の下部の境界に隙間が生じるようこれら２部材が設計及び製造されており、これにより、その隙間が、通水路５０として利用されている。従って、例えば、カバー部材４０の枠部４１に、通水路としての貫通孔を形成する場合と比較すると、通水路５０の形成が容易である。また、軸Ｊを中心とする３６０°の全範囲に、通水路５０の出口５１を設けることが可能である。これにより、例えば、通水路５０による排水性能が向上する。
【００３８】
また、本実施の形態では、本体部２０は、発光部２５からの光を透過させて放出する透光パネル３０を有し、本体部２０の外周端縁２０ａの少なくとも一部は、透光パネル３０の端縁３０ａにより形成されている。
【００３９】
この構成によれば、例えば、通水路５０の一部を形成する外周端縁２０ａの一部が、カバー部材４０によって形成されるため、外周端縁２０ａの全体を筐体２１に設ける必要はない。これにより、例えば、平面視における透光パネル３０の大きさを変えることなく、本体部２０の外径を小さくすることができる。
【００４０】
また、本実施の形態では、図３及び図４に示すように、カバー部材４０は、カバー内空間４２から通水路５０の出口５１までの経路上において、出口５１よりも手前の位置に配置された、下方に凹んだ凹部４５を有している。
【００４１】
これにより、例えば、カバー部材４０の上端の隙間４４から、塵芥または虫等の異物がカバー内空間４２に入った場合であっても、異物が凹部４５にせき止められ、その結果、異物が通水路５０に到達する可能性が低減する。つまり、通水路５０の幅を比較的に小さくした場合であっても、通水路５０に異物が詰まる可能性が低い。従って、例えば通水路５０の出口５１の大きさ（例えば、図４におけるＸ軸方向の幅）を比較的に小さくすることができる。このことによっても、外観上、通水路５０は目立ち難くなる。
【００４２】
また、本実施の形態において、カバー部材４０は、通水路５０の、カバー内空間４２側の端部に立設された壁部４６を有する。
【００４３】
この構成によれば、例えば、使用者が、通水路５０の延長線上から通水路５０の出口５１を見た場合であっても、出口５１の奥に壁部４６が存在するため、通水路５０を介してカバー部材４０の内部の構造を視認される可能性は低い。なお、本実施の形態では、凹部４５における通水路５０側の内壁は、壁部４６によって形成されている。つまり、本実施の形態に係る壁部４６は、本体部２０の内部構造を外部から隠す役割と、異物をせき止める役割とを担っている。
【００４４】
ここで、上述のように、本実施の形態に係る照明装置１０は、露出させないことが望ましいネジまたは凹凸等の要素をカバー部材４０で隠し、かつ、カバー部材４０の内部の水を外部に排出する通水路５０を目立ち難い態様で備えている。従って、例えば、本体部２０の側面２１ｂに開口を設けた場合であっても、その開口はカバー部材４０で隠され、かつ、その開口からの水の浸入は抑制される。そこで、本実施の形態に係る照明装置１０では、本体部２０の側面２１ｂに開口を設け、その開口を介して、センサ装置６０の操作が可能な構造が採用されている。この構造について、図５及び図６を用いて説明する。
【００４５】
［操作用開口部及びその周辺の構造］
図５は、実施の形態に係る照明装置１０の、カバー部材４０を外した状態を示す斜視図である。図６は、実施の形態に係る照明装置１０の、本体部２０の内部の一部を示す斜視図である。具体的には、図６では、本体部２０を取付板８０から分離することで、本体部２０の内部のセンサ装置６０等が露出された状態が図示されている。
【００４６】
図５に示すように、本体部２０の側面２１ｂには、操作用開口部２３が設けられている。操作用開口部２３は、センサ装置６０が備える操作部６５の一部を本体部２０から露出させる窓部分である。
【００４７】
センサ装置６０が備える操作部６５は、本実施の形態では、人感センサ６１及び照度センサ６２の検出結果に応じた発光部２５の発光態様を変更するためのダイヤルである。例えば、使用者は、カバー部材４０を本体部２０から取り外して、操作用開口部２３から露出する操作部６５を操作することができる。また、照明装置１０を天井等に設置する作業者は、カバー部材４０を本体部２０に取り付ける前に、操作用開口部２３から露出する操作部６５を操作することができる。これにより、例えば、人感センサ６１が人を検出した場合の、発光部２５の発光の継続時間が変更される。また、例えば、照度センサ６２が所定の照度を検出した場合における、発光部２５の発光の継続時間が変更される。なお、操作部６５が操作されることにより変更される事項は、発光部２５の発光の継続時間に限定されない。例えば、操作部６５が操作されることで、人感センサ６１または照度センサ６２による検出範囲が変更されてもよい。
【００４８】
ここで、本体部２０の側面２１ｂに操作用開口部２３を設けた場合、操作用開口部２３を介して本体部２０の内部に水が浸入する可能性がある。しかしながら、上述のように、照明装置１０には、カバー内空間４２の下部に通水路５０が設けられている。そのため、カバー内空間４２に水が浸入した場合であっても、カバー内空間４２内にたまる水は、操作用開口部２３に至る前に、通水路５０から外部に排出される。その結果、操作用開口部２３を介して本体部２０の内部に水が浸入することが抑制される。
【００４９】
なお、本実施の形態では、本体部２０には、センサ装置６０の他に、電気回路７１（図３参照）を収容する回路ケース７５、及び、例えば速結端子を有する電線接続部７８が収容されている。そのため、例えば、本体部２０の側面２１ｂに、操作用開口部２３に加えてまたは換えて、電気回路７１または電線接続部７８を操作するための開口部が設けられてもよい。
【００５０】
また、本体部２０の側面２１ｂは比較的に広い面積を有するため、例えば、操作部６５の操作方法等の情報を記したシールを貼付することも可能である。この場合であっても、当該シールは、通常時ではカバー部材４０に隠されるため、操作部６５の操作の際には使用者が視認可能であり、かつ、通常時において外観に何ら影響を与えることがでない。
【００５１】
なお、照明装置１０の構成は、上記実施の形態で説明された構成に限定されない。そこで、以下に、照明装置１０についての変形例を、上記実施の形態との差分を中心に説明する。
【００５２】
（変形例１）
図７は、実施の形態の変形例１に係る照明装置１０ａの部分断面図である。具体的には、図７では、本変形例に係る照明装置１０ａにおける通水路５０ａ及びその周辺部分の断面が図示されている。なお、照明装置１０ａにおける当該断面の位置は、図３及び図４に示される断面の位置に準じている。また、発光部２５及びセンサ装置６０等の図７に表されていない他の構成要素については、上記実施の形態と共通であり、図示及び説明を省略する。
【００５３】
図７に示すように、本変形例に係る照明装置１０ａは、発光部２５からの光を放出する本体部２０と、本体部２０の側面２１ｂを覆うカバー部材４０と、少なくとも一部がカバー部材４０によって形成された通水路５０ａとを備える。通水路５０ａは、カバー部材４０及び本体部２０の側面２１ｂの間のカバー内空間４２の下部に配置され、カバー内空間４２と照明装置１０の外部の空間とを接続する。カバー部材４０はさらに、カバー内空間４２から通水路５０ａの出口５１ａまでの経路上において、出口５１ａよりも手前の位置に配置された、下方に凹んだ凹部４５を有する。
【００５４】
つまり、本変形例に係る照明装置１０ａでは、カバー内空間４２の下部に通水路５０ａが形成されており、この構成において、本変形例に係る照明装置１０ａは、上記実施の形態に係る照明装置１０と共通する。つまり、照明装置１０ａは、カバー内空間４２に浸入した水を、通水路５０ａを介して外部に排出することができる。しかしながら、本変形例に係る照明装置１０ａでは、通水路５０ａは、上下方向に平行な方向に延設されている点で上記実施の形態とは異なる。この場合であっても、通水路５０ａの出口５１ａよりも手前の位置に凹部４５が設けられている。そのため、例えば、カバー部材４０の上端の隙間４４から、塵芥または虫等の異物がカバー内空間４２に入った場合であっても、異物が凹部４５にせき止められ、その結果、異物が通水路５０ａに到達する可能性が低減する。つまり、通水路５０ａの幅を比較的に小さくした場合であっても、通水路５０ａに異物が詰まる可能性が低い。従って、例えば通水路５０ａの出口５１ａの大きさ（例えば、図７におけるＸ軸方向の幅）を比較的に小さくすることができる。このことによっても、外観上、通水路５０ａを目立ち難くすることができる。
【００５５】
（変形例２）
図８は、実施の形態の変形例２に係る照明装置１０ｂの部分断面図である。なお、図８に示す断面の位置は、図４に示される断面の位置に準じている。また、本変形例では、当該断面には、照明装置１０ｂが備える保持バネ９０の断面が含まれている。
【００５６】
図８に示すように、本変形例では、取付板８０への本体部２０の取り付けに保持バネ９０が用いられている点に特徴を有する。つまり、本変形例に係る照明装置１０ｂにおいて、本体部２０は、発光部２５を収容し、本体部２０の側面２１ｂを形成する筐体２１と、筐体２１を他の部材に固定するための、筐体２１と当該他の部材との間に配置される取付板８０とを有する。取付板８０は、筐体２１の方向に立設された、筐体２１の側面２１ｂに引っ掛かる保持バネ９０であって、カバー部材４０に覆われる位置に配置された保持バネ９０を有する。
【００５７】
具体的には、本変形例では、保持バネ９０の端部に設けられた凸部９１が、筐体２１の側面２１ｂに形成された凹状の係合部２４に引っ掛かることで、本体部２０が取付板８０に固定されている。また、本体部２０が取付板８０に取り付けられた場合、凸部９１は、保持バネ９０の弾性力によって係合部２４の方向に付勢された状態となる。
【００５８】
このように、本変形例では、取付板８０に配置された保持バネ９０を筐体２１の側面２１ｂに引っ掛けることで、筐体２１を含む本体部２０を取付板８０に固定する構造が採用されている。この場合であっても、例えば図８に示すように、本体部２０の上端と取付板８０との間にガスケット８５が配置されることで、本体部２０の上端から本体部２０の内部への水の浸入は抑制される。
【００５９】
なお、保持バネ９０の弾性力は、主として凸部９１を係合部２４の方向に付勢する力として作用する。しかし、保持バネ９０のＺ軸方向の長さ、または、筐体２１における係合部２４のＺ軸方向の位置等を調整することで、保持バネ９０が、本体部２０をガスケット８５に向けて押圧する状態を作り出すことができる。つまり、ガスケット８５による防水性能の実効性は保証される。
【００６０】
ここで、保持バネ９０によるＺ軸プラス側への押圧力を高めるために、例えば、Ｚ軸方向における取付板８０から係合部２４までの距離に対して、取付板８０から保持バネ９０の凸部９１までの距離を短くした場合を想定する。この場合、保持バネ９０の凸部９１と係合部２４との係合が外れやすくなることが考えられる。しかしながら、本変形例では、本体部２０の取付板８０への固定後は、保持バネ９０は、カバー部材４０で覆われる。つまり、図８に示すように、保持バネ９０の凸部９１の、外側（Ｘ軸プラス側）への変位はカバー部材４０によって規制されるため、保持バネ９０の凸部９１の係合部２４からの脱落は実質的に防止される。従って、本体部２０の上端における所定の防水性を確保しつつ、本体部２０を天井等にしっかりと固定することができる。また、本体部２０の上端における所定の防水性が確保されていることで、カバー部材４０の上端と本体部２０の上端との間に隙間４４が生じることが許容されるため、例えば、カバー部材４０の製造が容易化される。さらに、上述のように、カバー内空間４２の下部に、目立たない態様で通水路５０が設けられるため、例えば、通水路５０を使用者に不要に認識させることなく、カバー内空間４２に浸入した水を外部に排出させることができる。
【００６１】
また、本体部２０の取付板８０に対する固定に保持バネ９０を用いることで、例えば、本体部２０の外周部において、ネジ及びナットを用いて本体部２０を取付板８０に締結する場合と比較すると、平面視における本体部２０の大きさを小さくすることが可能である。
【００６２】
なお、本変形例における保持バネ９０の位置及び形状等は一例であり、例えば、本体部２０の内部で係合する保持バネによって、本体部２０が取付板８０に固定されてもよい。
【００６３】
（他の実施の形態）
以上、本発明に係る照明装置について、実施の形態及び変形例に基づいて説明したが、本発明は、上記の実施の形態及び変形例に限定されるものではない。
【００６４】
例えば、実施の形態において、通水路５０は、本体部２０の下部の外周端縁２０ａと、カバー部材４０の内周端縁４０ａとの間に形成されている。つまり、本体部２０とカバー部材４０とによって通水路５０が形成されているが、通水路５０は、本体部２０及びカバー部材４０の一方のみに形成されていてもよい。
【００６５】
例えば、カバー部材４０の枠部４１（例えば図４参照）に、上下方向に対して斜めの貫通孔を形成することで、その貫通孔を、カバー内空間４２に浸入した水を排出する通水路５０として機能させてもよい。また、カバー部材４０の枠部４１に、上下方向に平行な貫通孔を形成することで、その貫通孔を、カバー内空間４２に浸入した水を排出する通水路５０ａとして機能させてもよい。
【００６６】
また、通水路５０は、縦断面（Ｚ軸に平行な断面）において直線状に形成されているが、通水路５０が直線状であることは必須ではない。例えば、縦断面における通水路５０の一部が湾曲または屈曲していてもよい。つまり、通水路５０は、一部のみが、上下方向に対して傾いた方向に延設されていてもよい。なお、「上下方向に対して傾く」とは、上下方向に対して直交する場合、つまり、上下方向に対して９０°傾く場合も含む。すなわち、例えば、通水路５０の途中の部分が水平方向に平行であり、かつ、残りの部分が上下方向に平行であってもよい。この場合であっても、通水路５０による排水は実行され、かつ、通水路５０を介したカバー部材４０の内部の視認を防止することができる。
【００６７】
また、異物をせき止めることができる凹部４５は、例えば、通水路５０の途中に設けられてもよい。つまり、通水路５０の出口５１より手前の位置において、凹部４５で異物がせき止められることで、通水路５０全体における少なくとも出口５１の部分の幅を、比較的に小さくすることができる。これにより、通水路５０の存在を目立たせないことができる。
【００６８】
また、実施の形態に係る照明装置１０は、平面視において円形であるが、照明装置１０の形状に特に限定はない。例えば、本体部２０及びカバー部材４０が、平面視において多角形に形成されていてもよい。つまり、照明装置１０の形状として各種の形状が採用された場合であっても、通水路５０を目立たない態様で照明装置１０に設けることは可能である。このことは、上記変形例１及び２に係る照明装置１０ａ及び１０ｂについても適用される。
【００６９】
また、実施の形態に係るセンサ装置６０は、人感センサ６１及び照度センサ６２を有するとしたが、センサ装置６０は、人感センサ６１及び照度センサ６２のいずれか一方のみを有してもよい。
【００７０】
また、上記実施の形態では、発光部２５は、ＳＭＤ構造の発光モジュールであったが、ＣＯＢ（Ｃｈｉｐ  Ｏｎ  Ｂｏａｒｄ）構造の発光モジュールが、発光部２５として採用されてもよい。ＣＯＢ構造の発光モジュールでは、例えば、基板２５ａ上に発光素子２５ｂであるＬＥＤチップが直接実装され、当該ＬＥＤチップが、蛍光体粒子を含有する透光性樹脂材によって封止される。
【００７１】
また、発光部２５は、ＬＥＤチップと、当該ＬＥＤチップと離れた位置に配置された蛍光体粒子を含む樹脂部材とを有するリモートフォスファー型の発光モジュールであってもよい。
【００７２】
また、発光部２５が有する発光素子２５ｂは、ＬＥＤチップまたはＬＥＤチップを用いた素子に限定されない。例えば、半導体レーザまたは有機ＥＬ（Ｅｌｅｃｔｒｏ  Ｌｕｍｉｎｅｓｃｅｎｃｅ）等、ＬＥＤチップ以外の固体発光素子が発光素子２５ｂとして用いられてもよい。
【００７３】
また、本発明の趣旨を逸脱しない限り、当業者が思いつく各種変形を本実施の形態または変形例に施したもの、及び、実施の形態または変形例における構成要素を組み合わせて構築される形態も、一つまたは複数の態様の範囲内に含まれてもよい。
【符号の説明】
【００７４】
１０、１０ａ、１０ｂ  照明装置
２０  本体部
２０ａ  外周端縁
２１  筐体
２１ｂ  側面
２３  操作用開口部
２５  発光部
３０  透光パネル
３０ａ  端縁
４０  カバー部材
４０ａ  内周端縁
４２  カバー内空間
４５  凹部
４６  壁部
５０、５０ａ  通水路
５１、５１ａ  出口
６０  センサ装置
６５  操作部
８０  取付板
９０  保持バネ
【図１】
2019096446.tif 000003
【図２】
2019096446.tif 000004
【図３】
2019096446.tif 000005
【図４】
2019096446.tif 000006
【図５】
2019096446.tif 000007
【図６】
2019096446.tif 000008
【図７】
2019096446.tif 000009
【図８】
2019096446.tif 000010